(57)【要約】【課題】支持金具に被着することにより支持金具と電線（ＤＶ線）とが直接擦れあうことを回避し、剥がれ事故を未然に防止してＤＶ線の長期に亘る安定した使用を可能とした共架金物用カバーを提供する。【解決手段】電線Ｗを引き留めて家屋に引き込むため電話柱Ｃの上端部に装着される電話柱共架金物Ｂを構成しかつ電話柱Ｃの上端から上方へ立設される略帯板状の支持金具２０に被着する合成樹脂製の共架金物用カバーＡであって、前記支持金具２０の一側面２０ｄを覆う覆い板部１と該覆い板部１の長手方向に沿った両側縁に該覆い板部１とのなす角が鋭角となるようにして同じ側へ延設される一対の保持板部２，２とからなり、支持金具２０に被着したとき覆い板部１が該支持金具２０の一側面２０ｄに密着すると共に両保持板部２，２が該支持金具２０の両側縁を囲うようにした。【選択図】図４
2006254668.tif 000002
【特許請求の範囲】
【請求項１】
電線を引き留めて家屋に引き込むため電話柱の上端部に装着される電話柱共架金物を構成しかつ前記電話柱の上端から上方へ立設される略帯板状の支持金具に被着する合成樹脂製の共架金物用カバーであって、前記支持金具の一側面を覆う覆い板部と該覆い板部の長手方向に沿った両側縁に該覆い板部とのなす角が鋭角となるようにして同じ側へ延設される一対の保持板部とからなり、前記支持金具に被着したとき前記覆い板部が該支持金具の一側面に密着すると共に前記両保持板部が該支持金具の両側縁を囲うようにしたことを特徴とする共架金物用カバー。
【発明の詳細な説明】
【技術分野】
【０００１】
本発明は、電線（ＤＶ線）を引き留めて家屋に引き込むため電話柱の上端部に装着される電話柱共架金物であって、該電話柱共架金物を構成しかつ前記電話柱の上端から上方へ立設される略帯板状の支持金具に被着する共架金物用カバーに関するものである。
【背景技術】
【０００２】
通常、送電用の電線柱が立設されている区域では、電話線を電線と共にその電線柱に架設している。そこで、例えば、道路を挟んで一側に電線柱が立設され他側に電信・電話用の電話柱が立設されており、その電線柱側から道路を横断して家屋側へＤＶ線を引き込む場合、前記電話柱を利用して引き込むようにしている。
【０００３】
すなわち、前記電話柱は電線柱よりも低く設定されており、その上端部に電話柱共架金物が装着される。そこで、この電話柱共架金物を構成しかつ電話柱の上端から上方へ立設される略帯板状の支持金具に掛止部材が装着され、該掛止部材に取着されるＤＶ線引留碍子にＤＶ線を引き留めし、そこから該ＤＶ線を家屋に引き込むようにしている。
【０００４】
前記電話柱共架金物は、金属製であって、電話柱の周囲に嵌着固定される略環状の固定金具と、略帯板状に成形され前記固定金具の対向する両側から上端部が重なるようにして上方へ突出する一対の支持金具とからなり（例えば、非特許文献１参照。）、前記支持金具の所定高さ位置にＤＶ線引留碍子を取着するための掛止部材がボルト締めされることになる。
【非特許文献１】イワブチ株式会社、ホームページ、製品紹介（製品カタログ（品名別））、配電線路装柱用品、継柱金具、電話柱共架金物（ＳＡＩ）、［ｏｎｌｉｎｅ］、［平成１６年８月１８日検索］、インターネット＜ＵＲＬ：ｈｔｔｐ：／／ｗｗｗ．ｉｗａｂｕｃｈｉ．ｃｏ．ｊｐ／ｓｅｉｈｉｎ／ｃａｔａｌｏｇ／ａ／ｓａｉ．ｈｔｍ＞
【発明の開示】
【発明が解決しようとする課題】
【０００５】
前記非特許文献１の電話柱共架金物にあっては、例えば、掛止部材が一対の支持金具の上端部に螺子締めして固定されることが多く、この掛止部材にＤＶ線引留碍子が取着される。そして、ＤＶ線をＤＶ線引留碍子に引き留め所望の方向へ向けて下方の家屋に引き込むようにしているが、ＤＶ線引留碍子に引き留めされた後のＤＶ線が支持金具の外面またはその側端縁に接触又は接触する可能性の有る状態となる。このような状態では、風などの影響を受けＤＶ線が揺れるのに伴い、該ＤＶ線が支持金具に接触して擦れ合い、長く使用している間にＤＶ線のその部位の被覆が剥がれ、ＤＶ線を損傷してしまうといった課題があった。
【０００６】
そこで、本発明は上記課題を解決すべくなされたもので、支持金具に被着することにより支持金具とＤＶ線とが直接擦れあうことを回避し、剥がれ事故を未然に防止してＤＶ線の長期に亘る安定した使用を可能とした共架金物用カバーを提供することを目的とするものである。
【課題を解決するための手段】
【０００７】
かかる目的を達成するため本発明に係る共架金物用カバーは、電線を引き留めて家屋に引き込むため電話柱の上端部に装着される電話柱共架金物を構成しかつ前記電話柱の上端から上方へ立設される略帯板状の支持金具に被着する合成樹脂製の共架金物用カバーであって、前記支持金具の一側面を覆う覆い板部と該覆い板部の長手方向に沿った両側縁に該覆い板部とのなす角が鋭角となるようにして同じ側へ延設される一対の保持板部とからなり、前記支持金具に被着したとき前記覆い板部が該支持金具の一側面に密着すると共に前記両保持板部が該支持金具の両側縁を囲うようにした構成からなる。
【発明の効果】
【０００８】
本発明に係る共架金物用カバーは、支持金具の一側面に密着する覆い板部と支持金具の両側縁を囲う一対の保持板部とからなるので、共架金物用カバーが支持金具にしっかりと被着され、たとえＤＶ線が接触して擦れあっても該ＤＶ線が損傷することがほとんどなく、剥がれ事故を未然に防止してＤＶ線の長期に亘る安定した使用が可能になるという効果を奏する。
【０００９】
また、共架金物用カバーは、覆い板部が支持金具の一側面に密着し、しかも、一対の保持板部により支持金具の両側縁を囲うようにしているので、支持金具に共架金物用カバーを被着した状態では、該共架金物用カバーが仮留めされ簡単に外れることがなく、その後のバンド止めといった固定作業が容易に行なえるという効果も奏する。
【００１０】
更に、共架金物用カバーは支持金具の一側面に密着し、両保持板部も覆い板部とのなす角が鋭角となるようにして同じ側へ延設されることから、共架金物用カバーが支持金具とほとんど同じ大きさとなり、風圧荷重も被着しない状態とほとんど変わらず、積雪を増加させることもなく良好に使用できるといった効果を奏する。
【発明を実施するための最良の形態】
【００１１】
以下、本発明に係る共架金物用カバーの実施の形態を図面に基づき説明する。図１は本発明に係る共架金物用カバーの斜視図、図２は図１のＸ−Ｘ線拡大断面図である。この共架金物用カバーＡは、難燃性の合成樹脂材、例えば難燃性のポリエチレンから成形される。また、摩擦抵抗を小さくするため摩擦抵抗低減剤が添加される。
【００１２】
そして、前記共架金物用カバーＡは、平坦な帯板状の覆い板部１と、その短手方向の両側縁に沿って一体に延設される一対の保持板部２，２とからなる。各保持板部２，２は、覆い板部１とのなす角が直角となる基端板部２ａと覆い板部１とのなす角がほぼ６０度となるようにして同じ側へ延設される保持板本体部２ｂとからなる。また、各保持板本体部２ｂには、適宜位置に後記する金属製の固定バンド４０を挿通するため長円形状の取付孔３が開設されている。前記覆い板部１は、例えば横幅が５５ｍｍ長さが５００ｍｍであり、保持板部２は覆い板部１から２１ｍｍの高さを有する。
【００１３】
このように、各保持板部２が覆い板部１に対し互いに内側へ所定の角度で傾斜しているのは、後記する電話柱共架金物Ｂの支持金具２０に被着した場合、両保持板部２，２が支持金具２０を両側から挟み込むような状態になるので脱落し難く、共架金物用カバーＡの取付作業を容易に行うためである。なお、共架金物用カバーＡはその長手方向の途中で切断し、所望の長さに変えて使用するようにしても良い。
【００１４】
本発明に係る共架金物用カバーＡは上記構成からなる。次に、本発明が適用される電話柱共架金物について説明する。電話柱共架金物Ｂは金属製であって、図３に示すように後記する電話柱Ｃの周囲に嵌着固定する上下二対の略環状の固定金具１０，１０と、略帯板状に成形され前記両固定金具１０，１０の対向する両側から上端部が重なるように上方へ突出する一対の支持金具２０，２０と、からなる。
【００１５】
前記各固定金具１０は、直線部１１ａと円弧状部１１ｂとからなる４本の分割片１１をそれぞれ組合わせてなり、各円弧状部１１ｂが平面ほぼ円輪郭状に配置されると共に向い合う各分割片１１，１１の直線部１１ａ，１１ａが一定の間隔離してほぼ平行になるように配置される。また、隣接して一部重なり合う一対の円弧状部１１ｂ，１１ｂには、それぞれ長さ方向に沿って３個のボルト挿通孔１２が開設され、対向する各直線部１１ａにもそれぞれボルト挿通孔１３が開設されている。そこで、両ボルト挿通孔１３，１３にボルト１４を挿通し、該ボルト１４にナット１５を螺合することにより両直線部１１ａ，１１ａ間の距離を調節でき、更には、両円弧状部１１ｂ間の距離も調節できるようになっている。
【００１６】
前記一対の支持金具２０，２０は、それぞれ板状部２０ａの長手方向に沿った両側縁に同方向へ断面山型に折り曲げた屈曲条部２０ｂ，２０ｂを設けて成形されている。これは屈曲させることで曲げ強度を高めるためである。また、各支持金具２０はその長手方向に沿って上端部と下端部が互いに反対方向へ屈曲して側面略Ｓの字状になっている。これは、両支持金具２０，２０が両固定金具１０，１０に取付けられたとき、その上端部が互いに重なるようにするためである。各支持金具２０には、その長手方向に沿って所定の位置（図３では、上下位置と中間位置）にボルト挿通孔２１が開設されている。
【００１７】
前記支持金具２０の一方には、所定高さ位置に後記するＤＶ線Ｗを引き留めるためのＤＶ線引止碍子を取り付ける掛止部材３０が固着される。該掛止部材３０は、中央の取付板３１の周囲に該取付板３１に対してそれぞれ同方向へ折れ曲る３枚の屈曲板３２，３２，３２が連設され、該各屈曲板３２にＤＶ線引止碍子３８の取付金具３７を挿通する掛止孔３３が開設されている。また、前記取付板３１の中央にはボルト挿通孔３４が開設されている。
【００１８】
そして、固定金具１０における両側の一対の直線部１１ａ，１１ａの向きに対して直交する位置に、各屈曲条部２０ｂの突出する内側面２０ｃが各円弧状部１１ｂの外側面に向い合うようにして各支持金具２０をそれぞれ配置する。これにより、各支持金具２０の平坦な外側面２０ｄが外側を向くことになる。
【００１９】
次に、各円弧状部１１ｂの例えば中間位置にある通孔１２と各支持金具２０の下端部のボルト挿通孔２１とを合致させてボルト１６を挿通すると共に該ボルト１６にナット１７を螺合する。この場合、いずれのナット１７も緩めておく。また、両支持金具２０，２０の上端部を重ね合わせ、各ボルト挿通孔２１と掛止部材３０のボルト挿通孔３４とを合致させてボルト３５を挿通すると共に該ボルト３５にナット３６を螺合する。この場合も、ナット３６は緩めておく。
【００２０】
前記電話柱共架金物Ｂは、図４に示すように電話柱Ｃの上端部に両固定金具１０，１０を嵌入すると共に両ナット１５，１５及びナット１７，１７を締め、両直線部１１ａ，１１ａ間を狭めてしっかりと固定する。同時に、両支持金具２０，２０を立設し上端部のナット３６を締め止めして掛止部材３０もしっかり固定する。この状態で、掛止部材３０の両側の掛止孔３３，３３にそれぞれ取付金具３７を介して取着した左右一対のＤＶ線引留碍子３８，３８にＤＶ線Ｗを引き留めてその一方を家屋（図示せず。）に引き込む。この際、両ＤＶ線引留碍子３８，３８間のＤＶ線Ｗは撓ませてあり、図５に示すようにＤＶ線Ｗの前記撓み部Ｗ１と接触または接触する可能性のある支持金具２０にその外側面２０ｄから共架金物用カバーＡを被着する。
【００２１】
これにより、覆い板部１が支持金具２０の外側面２０ｄに密着し、しかも、両側の保持板部２，２が両屈曲条部２０ｂ，２０ｂの外側を囲う。この状態では、共架金物用カバーＡが仮留めされ支持金具２０から容易に脱落するようなことがないので、その後のバンド止めといった固定作業が容易に行なえる。そして、前記各取付孔３，３に固定バンド４０を挿通して締止めし、共架金物用カバーＡが支持金具２０にしっかりと被着される。なお、図示は省略するが、固定バンド４０の替わりに針金のような線材を使って締め止めしても良い。
【００２２】
このように、ＤＶ線Ｗが接触または接触する可能性がある支持金具２０に共架金物用カバーＡを被着するようにしたので、たとえ風雨でＤＶ線Ｗが揺れても、ＤＶ線Ｗは共架金物用カバーＡと擦れ合うことになり、ＤＶ線Ｗがほとんど損傷することがない。よって、これにより剥がれ事故が未然に防止でき、ＤＶ線Ｗの長期に亘る安定した使用が可能となる。
【００２３】
更に、共架金物用カバーＡは支持金具２０の外側面２０ｄに密着し、両保持板部２，２も覆い板部１とのなす角が鋭角となるようにして同じ側へ延設されることから、共架金物用カバーＡが支持金具２０とほとんど同じ大きさとなり、風圧荷重も被着しない状態とほとんど変わらず、積雪を増加させることもなく良好に使用できる。
【図面の簡単な説明】
【００２４】
【図１】本発明に係る共架金物用カバーの斜視図。
【図２】図１のＸ−Ｘ線拡大断面図。
【図３】電話柱共架金物の斜視図。
【図４】共架金物用カバーの使用状態を示す電話柱の上端部部分の斜視図。
【図５】図４のＹ−Ｙ線拡大断面図。
【符号の説明】
【００２５】
１              覆い板部
２              保持板部
２０            支持金具
２０ｄ          一側面（外側面）
Ａ              共架金物用カバー
Ｂ              電話柱共架金物
Ｃ              電話柱
Ｗ              電線（ＤＶ線）
【図１】
2006254668.tif 000003
【図２】
2006254668.tif 000004
【図３】
2006254668.tif 000005
【図４】
2006254668.tif 000006
【図５】
2006254668.tif 000007